(57)【要約】【課題】  栓刃の配置が特殊なプラグはいちいちプラグの向きを確認し調整してコンセントに差し込まなくてはならず、特に屋外のコンセントは下から差し込みにくく、プラグがコンセントから抜け落ちやすく、雨の使用時には感電の恐れがあり、意匠的に見栄えがせず、夜間や暗い場所で見えにくい等の問題を解消する自動車充電施設用のプラグ・コンセント接続装置を提供する。【解決手段】  プラグを所定姿勢でスライドホルダに嵌め込み、スライドホルダがガイドレールをスライドしてプラグを直接手に持たずにコンセントに差し込み、ストッパーとストッパー受けがコンセントプラグの接続状態を保持する。接続部分を覆うカバーの開閉に連動してコンセントの抜き差しができ、カバーが意匠性に優れる、安全で使いやすく見栄えがよい自動車充電施設用のプラグ・コンセント接続装置。【選択図】図１１
2011228236.tif 000002
【特許請求の範囲】
【請求項１】
ベースと、このベースに付属するガイドレールと、前記ガイドレールをスライドし、プラグを所定姿勢に保持する絶縁材料からなるスライドホルダと、前記ベースに設けられ、前記スライドホルダが前記ベース側へスライドした状態で前記保持されたプラグの栓刃が差し込まれるコンセントと、を有してなる事を特長とする自動車充電施設用のプラグ・コンセント接続装置。
【請求項２】
請求項１記載の発明で、スライドホルダに付属するストッパーと、コンセントとプラグが接続した状態で前記ストッパーに係り合う、ベースに付属するストッパー受けと、を有してなる事を特徴とする自動車充電施設用のプラグ・コンセント接続装置。
【請求項３】
請求項１記載の発明で、ベースに回動可能に取り付けられた開閉柄と、前記開閉柄に設けられた長穴と、前記長穴に係合しスライドする、スライドホルダに付属する軸と、を有してなる事を特長とする自動車充電施設用のプラグ・コンセント接続装置。
【請求項４】
請求項１、請求項２内のいずれか一項記載の発明で、ベースに回動可能に取り付けられた、コンセントとスライドホルダを覆うカバーと、一端を前記カバーに取り付け、他端をスライドホルダに取り付けた、前記カバーの開閉に伴って前記スライドホルダをスライドさせる開閉枝と、を有してなる事を特長とする自動車充電施設用のプラグ・コンセント接続装置。
【請求項５】
請求項４記載の発明で、カバーの内側に照明を有してなる事を特徴とする自動車充電施設用のプラグ・コンセント接続装置。
【請求項６】
請求項１記載の発明で、プラグの外側面の形状に合致する内側面の形状を持ち、前記プラグに装着し、スライドホルダの内側面の形状に沿う外側の形状を持ち、前記スライドホルダに嵌め込むアタッチメントが、前期プラグを所定姿勢に保持する事を特徴とする自動車充電施設用のプラグ・コンセント接続装置。
【発明の詳細な説明】
【技術分野】
【０００１】  本発明は差し込みが容易で感電の恐れが少ない自動車充電施設用のプラグ・コンセント接続装置に関する。
【背景技術】
【０００２】  従来はプラグの栓刃をコンセントに差し込む際に、プラグを直接手に持ってその栓刃をコンセントに差し込んでいた。【０００３】  従来はプラグの栓刃の形状と配列によりコンセントに差し込む向きが限定されるプラグは、コンセントに対してプラグの栓刃の向きが合う所定姿勢になるようにプラグの向きを調節してコンセントに差し込んでいた。【０００４】  プラグをコンセントから引き抜く際にプラグのコードを引っ張ってコンセントから抜く事があった。【０００５】  従来はプラグの栓刃をコンセントの刃受けバネが挟んでプラグとコンセントの接続状態を保った。【０００６】  接続状態を保持するために鍵状の栓刃をコンセントの挿入口に差し込んだ後に、プラグを回転させてその鍵状の栓刃をコンセントの刃受けバネに引掛けて固定していた。【０００７】  コンセントに付属する蓋を開けてコンセントにプラグの栓刃を差し込んで使用する物があった。【０００８】  コンセントの挿入口に併設された照明を有するコンセントがあった。【０００９】  コンセントは電気接続の機能しか無かった。【００１０】  プラグの栓刃の形状と配列が同じでも、本体の外形形状が異なるプラグがあった。【００１１】  コンセントとプラグの接続状態を維持する特許文献１、コンセントからの抜け落ちを防止する特許文献２のコンセントがあった。
【先行技術文献】
【００１２】
【特許文献１】特開２００４−２０００８３
【特許文献２】実新開平７−１６３７６のプラグ抜止装置
【発明の概要】
【発明が解決しようとする課題】
【００１３】  プラグの栓刃をコンセントに差し込む際に、プラグを直接手に持ってその栓刃をコンセントに差し込むものは、プラグ若しくはコンセントのどちらかに異常がある場合や、プラグ若しくはコンセントのどちらかが濡れている場合には感電する危険性があった。【００１４】  プラグの栓刃の形状と配列によりコンセントに差し込む向きが限定されるプラグは、プラグの栓刃をコンセントに差し込む際に、コンセントに対してプラグの栓刃の向きが合う所定姿勢になるようにプラグの向きを調節しなければならず、プラグの向きに迷う事があった。【００１５】  プラグをコンセントから引き抜く際にプラグのコードを引っ張ってコンセントから抜くと、プラグ内部のコード接続部分を痛めたり、プラグを真直ぐに引き抜けるとは限らないのでプラグの栓刃がコンセント内部の刃受けバネを痛めたり、コンセントの本体を損傷する事があった。【００１６】  プラグの栓刃をコンセントの刃受けバネが挟んでプラグとコンセントの接続状態を保つ仕組みは、刃受けバネの挟む力が弱まると、プラグの栓刃がコンセントから抜けやすくなった。【００１７】  接続状態を保持するために鍵状の栓刃をコンセントの挿入口に差し込んだ後に、プラグを回転させてその鍵状の栓刃をコンセントの刃受けバネに引掛けて固定するコンセントは、差し込む動作に加えプラグを回転させて、その鍵状の栓刃をコンセントの刃受けバネに上手く引掛けるのにコツが必要だった。【００１８】  コンセントに付属する蓋を開けてコンセントにプラグの栓刃を差し込んで使用する物は使用毎にカバーを開けなければならず面倒だった。【００１９】  コンセントの挿入口に併設された照明を有するコンセントはその挿入口を照らさないので、夜間や暗い場所では挿入口が見えず、プラグの栓刃をコンセントに差し込みにくかった。【００２０】  コンセントは電気接続の機能しか無く、本体に意匠性が無かった。【００２１】  コンセントは電気接続の機能のみしか無かったので、デザイン性や意匠性に乏しく、訴求的効果が無かった。【００２２】  プラグの栓刃の形状と配列が同じでも、本体の外形形状が異なるために請求項１のスライドホルダに嵌め込めないプラグがあった。
【課題を解決するための手段】
【００２３】  ベースと、このベースに付属するガイドレールと、前記ガイドレールをスライドし、プラグを所定姿勢に保持する絶縁材料からなるスライドホルダと、前記ベースに設けられ、前記スライドホルダが前記ベース側へスライドした状態で前記保持されたプラグの栓刃が差し込まれるコンセントと、を有してなる事を特長とする。【００２４】  請求項１記載の発明で、スライドホルダに付属するストッパーと、コンセントとプラグが接続した状態で前記ストッパーに係り合う、ベースに付属するストッパー受けと、を有してなる事を特徴とする。【００２５】  請求項１記載の発明で、ベースに回動可能に取り付けられた開閉柄と、前記開閉柄に設けられた長穴と、前記長穴に係合しライドする、スライドホルダに付属する軸と、を有してなる事を特長とする。【００２６】  請求項１、請求項２内のいずれか一項記載の発明で、ベースに回動可能に取り付けられた、コンセントとスライドホルダを覆うカバーと、一端を前記カバーに取り付け、他端をスライドホルダに取り付けた、前記カバーの開閉に伴って前記スライドホルダをスライドさせる開閉枝と、を有してなる事を特長とする。【００２７】  請求項４記載の発明で、カバーの内側に照明を有してなる事を特徴とする。【００２８】  請求項１記載の発明で、プラグの外側面の形状に合致する内側面の形状を持ち、前記プラグに装着し、スライドホルダの内側面の形状に沿う外側の形状を持ち、前記スライドホルダに嵌め込むアタッチメントが、前期プラグを所定姿勢に保持する事を特徴とする。
【発明の効果】
【００２９】  以上説明したように、本発明の請求項１記載の発明により、ガイドレールをスライドする絶縁材料からなるスライドホルダがプラグを所定姿勢に保持し、スライドホルダがベース側へスライドして、プラグの栓刃を、ベースに保持されたコンセントに差し込む。これによりプラグを直接手で持たずにその栓刃をコンセントに差し込む事が出来るので、プラグ若しくはコンセントのどちらかに異常がある場合や、プラグ若しくはコンセントのどちらかが濡れている場合にも感電する危険性が少ない。【００３０】  本発明の請求項１記載の発明により、スライドホルダがプラグを所定姿勢に保持し、スライドホルダがベース側へスライドして、プラグの栓刃を、ベースに保持されたコンセントに差し込む。これによりプラグの栓刃の形状と配列によりコンセントに差し込む向きが限定されるプラグでも、プラグの栓刃をコンセントに差し込む際にプラグの向きを調節しなくてよく、プラグの向きに迷う事が無い。【００３１】  本発明の請求項１記載の発明により、ガイドレールをスライドする絶縁材料からなるスライドホルダがプラグを所定姿勢で保持し、スライドホルダがベース側と相対する側へスライドしてプラグの栓刃をコンセントから真直ぐに抜く。これによりプラグのコードを引っ張ってコンセントから抜く事が無く、内部のコード接続部分を痛めたり、プラグの栓刃がコンセント内部の刃受けバネを痛めたり、コンセントの本体を損傷することが無い。【００３２】  本発明の請求項２記載の発明により、プラグとコンセントの接続状態においてスライドホルダに付属するストッパーと、ストッパーに係り合う、ベースに付属するストッパー受けによりコンセントとプラグの間隔が保持されて接続状態を保つ。これにより受刃バネの挟む力が弱まってもプラグの栓刃がコンセントから抜けやすくなる事が無い。【００３３】  本発明の請求項２記載の発明により、プラグとコンセントの接続状態においてスライドホルダに付属するストッパーと、ストッパーに係り合う、ベースに付属するストッパー受けによりコンセントとプラグの間隔が保持されて接続状態を保つ。これにより鍵状の栓刃をコンセントの刃受けバネに引掛けて接続状態を保つ必要が無いので接続にコツが不要になる。【００３４】  本発明請求項３記載の発明により、ベースに回動可能に取り付けられた長穴を有す開閉柄が回動すると、スライドホルダに付属する軸が長穴をスライドし、ガイドレールをスライドホルダがスライドする。これによりスライドホルダに直接触れずにプラグをコンセントに差し込めるのでさらに感電する危険性が少なくなる。【００３５】  本発明の請求項４記載の発明により、コンセントとスライドホルダを覆うカバーが、コンセントとプラグの接続中に、コンセントとプラグとスライドホルダを雨や埃から保護し、開閉枝がカバーの開閉に伴って、スライドホルダをスライドさせる。これによりカバーを開閉すると自動的に、スライドホルダに保持されたプラグをコンセントに差し込めるので手間が省ける。【００３６】  さらにスライドホルダに直接触れずに、プラグをコンセントに差し込めるので感電する危険性が少なくなる。【００３７】  本発明の請求項５の発明により、夜間や暗い場所でもカバーの内側に設けた照明の明かりで、スライドホルダ、プラグ、コンセントが照らされて、見やすくなり、プラグの栓刃をコンセントに差し込みやすくなる。【００３８】  本発明の請求項５の発明により、カバーの内側に設けられた照明の光が透過性材料からなるカバーを透過しカバーが光って見える。これにより当該装置はデザイン性や意匠性に富み、夜間や暗い場所で当該装置を訴求させる事が出来る。【００３９】  本発明の請求項６の発明により、プラグの栓刃の形状と配列が同じでも、プラグの外形形状が異なるために請求項１のスライドホルダに嵌め込めないプラグの場合は、プラグの外側面の形状に合致する内側面の形状を持ち、プラグに装着し、スライドホルダの内側面の形状に沿う外側の形状を持ち、スライドホルダに嵌め込むアタッチメントが、プラグを所定姿勢に保持する。これによりスライドホルダに本体の外形形状が異なるために請求項１のスライドホルダに嵌め込めないプラグでも、そのプラグにアタッチメントを装着し、スライドホルダにプラグを所定姿勢に保持出来るので請求項１の発明の装置を汎用できる。
【図面の簡単な説明】
【００４０】
【図１】  本発明請求項１、請求項２の実施例のガイドレール１、スライドホルダ２、プラグ３、ベース５、コンセント６、ストッパー１５、ストッパー受け１６の関係を示す斜視図
【図２】  本発明請求項１、請求項２の実施例のスライドホルダ２にプラグ３を嵌め込んだ準備状態の断面図
【図３】  本発明請求項１、請求項２の実施例のプラグ突起１３を有するプラグ３−１と突起受け１４を有するスライドホルダ２−１の斜視図
【図４】  本発明請求項１、請求項２の実施例の接続状態の側面図
【図５】  本発明請求項１、請求項２の実施例の収納状態の側面図
【図６】  本発明請求項１、請求項２の実施例のコンセント６の上部にカバー２２を配した斜視図
【図７】  本発明請求項１、請求項２の実施例のベース５−１に漏電遮断機１７を併設した斜視図
【図８】  本発明請求項１、請求項２の実施例のベース５−１にコンセント６−１を併設した斜視図
【図９】  本発明請求項３の実施例の開閉柄１９を取り付けた準備状態の側面図
【図１０】  本発明請求項３の実施例の開閉柄１９を取り付けた接続状態の側面図
【図１１】  本発明請求項４の実施例のカバー２２−１を取り付けた準備状態の斜視図
【図１２】  本発明請求項４の実施例のカバー２２−１を取り付けた準備状態の断面図
【図１３】  本発明請求項４の実施例のカバー２２−１を取り付けた接続状態の断面図
【図１４】  本発明請求項４の実施例の外殻にデザイン性を持たせた斜視図
【図１５】  本発明請求項４の実施例のデザイン性を持たせた外殻体に模様をあしらった図
【図１６】  本発明請求項５の実施例のカバー２２−２の内側に照明３５を設けた断面図
【図１７】  本発明請求項５の実施例の透過性の外殻を有し後部カバー２４−１に照明３６を設けた断面図
【図１８】  本発明請求項５の実施例のデザイン性を持った外殻に表示３７を施した斜視図
【図１９】  本発明請求項６の実施例のアタッチメント３９をプラグ３８に装着した斜視図
【図２０】  本発明請求項６の実施例のアタッチメント３９の絞めビス４０をプラグ突起１３−１部分に配してプラグ３８に装着した斜視図
【発明を実施するための形態】
【００４１】  以下本発明の実施形態について、当該装置を鉛直の面に設置した場合、装置の設置面側を後方、設置面側と反対側を前方とし、装置の下側を下方、上側を上方として当該装置の構成を説明する
【００４２】  図１に示すようベース５にガイドレール１が取り付けられ、ガイドレール１をスライドする絶縁性材料からなるスライドホルダ２が付属する。スライドホルダ２はプラグ３の外形の形状に沿う内側面の形状を持ち、プラグ３を嵌め込んで所定姿勢に保持するホルダ部４−１とガイドレールをスライドするキャスター部４からなる。
【００４３】  コンセント６は、プラグ３の栓刃７の形状と配列に合致した刃受けバネと挿入口８を有し、ベース５に取り付けられている。プラグ３の栓刃７をベース５方向に向けてプラグ３をスライドホルダ２に所定姿勢で嵌め込んで、スライドホルダ２が後方へスライドすると、プラグ３の栓刃７がその通過線上にある挿入口８に差し込まれる位置にコンセント６がある。
【００４４】  図２に示すようにスライドホルダ２のコンセント６側には、プラグ３を嵌め込んだ状態で、プラグ３の栓刃７に干渉しない高さの立ち上がり９があり、スライドホルダ２の立ち上がり９に相対する側には、プラグコード１１に干渉しない高さの立ち上がり１０がある。これによりプラグ３はスライドホルダ２に前後方向の動きを固定される。
【００４５】  図２に示すように、スライドホルダ２にプラグ３を嵌め込んだときに、コード受け１２がプラグコード１１の付け根付近でプラグコード１１を支える。これによりスライドホルダ２はプラグ３を安定して所定姿勢に保持できる。
【００４６】  図１に示すスライドホルダ２を、ガイドレール１をスライドするキャスター部４と、プラグ３を所定姿勢で保持する絶縁材料からなるプラグホルダ部４−１とを着脱可能に構成すると、使用するプラグの形状に合わせてプラグホルダ部４−１を取替えることが出来る。
【００４７】  本発明のコンセント６をベース５と着脱可能に取り付けると、使用するプラグの形状や栓刃の形状に合わせてコンセントを取替えることが出来る。
【００４８】  図１に示すようにガイドレール１はその前端からプラグ３がコンセント６に接続された状態でプラグコード１１に干渉しない位置まで抉りこまれている。
【００４９】  スライドホルダ２の底部には水抜き用の穴を設けると雨水などがスライドホルダ２に溜まらないで適時に排水できてよい。
【００５０】  図３に示すようにプラグ３−１の下側にはプラグ突起１３があり、スライドホルダ２−１のプラグホルダ部４−１底部にはプラグ突起１３を嵌め込む形状の突起受け１４が欠き込まれている。プラグ３−１をスライドホルダ２−１に嵌め込むとプラグ突起１３が突起受け１４に嵌まる。これによりプラグ３−１はスライドホルダ２−１に前後方向の動きを固定されるので、スライドホルダ２の立ち上がり９若しくは立ち上がり１０を省略する事もできる。
【００５１】  以下、本発明の使用の説明を行う。図２に示すようにスライドホルダ２がコンセント６から離れ、プラグ３の栓刃７をベース５方向に向けて、プラグ３をスライドホルダ２に所定姿勢で嵌め込んだ状態を準備状態とする。
【００５２】  準備状態からスライドホルダ２が後方へスライドし、スライドホルダ２に嵌め込まれたブラグ３の栓刃７がコンセント６に差し込まれた図４の状態を接続状態とする。
【００５３】  先ず、プラグ３の栓刃７をベース５方向に向けて、プラグ３をスライドホルダ２に嵌め込んで図２に示す準備状態にする。このときスライドホルダ２はコンセント６の挿入口８の向きにプラグ３の栓刃７の配列が合う所定姿勢でプラグ３をコンセント６に対峙させる。
【００５４】  スライドホルダ２を後方にスライドさせてベース５側に押し付けるとプラグ３の栓刃７がコンセント６に真直ぐに差し込まれ図４に示す接続状態となる。
【００５５】  このようにプラグ３とコンセント６との接続に際して絶縁材料からなるスライドホルダ２がプラグ３を所定姿勢で保持するので、プラグ３を直接手に持つ事が無い。これによりプラグ若しくはコンセントのどちらかに異常がある場合や、プラグ若しくはコンセントのどちらかが濡れている場合にも感電する危険性が少なくなる。
【００５６】  接続状態のプラグ３をコンセント６から抜くにはスライドホルダ２を前方にスライドさせればよい。
【００５７】  この場合もプラグ３の栓刃７はコンセント６から真直ぐに抜けるので、栓刃７が刃受けバネやコンセント６本体に負担をかける事が少ない。またプラグ３を直接手に持たずにコンセント６から引き抜ける。これによりプラグ若しくはコンセントのどちらかに異常がある場合や、プラグ若しくはコンセントのどちらかが濡れている場合にも感電の危険性が少なくなる。
【００５８】  以上の説明のとおり、請求項１の発明によりプラグ３の栓刃７をコンセント６に差し込む際に挿入口８に合わせてプラグ３の向きを調整する煩わしさが無く、プラグ３をスライドホルダ２に嵌め込んで、スライドホルダ２を後方にスライドさせるだけで、プラグの向きに迷うことなくプラグ３の栓刃７をコンセント６に差し込む事が出来る。
【００５９】  特に従来の下方からプラグを差し込むコンセントで低い位置に設置された物は、コンセントの挿入口が見えずに感に頼ってコンセントにプラグの栓刃を差し込んでいた。これに比べ、プラグ３をスライドホルダ２に嵌め込んで、スライドホルダ２を後方にスライドさせるだけで、栓刃７をコンセント６に差し込めるので簡単である。
【００６０】  図１に示すように弾性を持つ請求項２のストッパー１５はスライドホルダ２に付属し、ストッパー受け１６はベース５に付属する。スライドホルダ２が後方へスライドすると、ストッパー１５の外側面とストッパー受け１６の内側面が接し合う位置となる。ストッパー１５はそのベース５に近い部分の外側面に爪状部分１５−１を有し、ストッパー受け１６は端部に爪状部１５−１が咬み込む掛けバー１６−１を有す。図２の準備状態ではストッパー１５とストッパー受け１６は離れている。図４の接続状態では爪状部分１５−１は掛けバー１６−１に咬み込み、ストッパー１５とストッパー受け１６は係合する。
【００６１】  係合を解放するには、ストッパー１５の爪状部分１５−１のスライドホルダ２側部分を内側方向に押して爪状部分１５−１と掛けバー１６−１の咬み込みを外す。
【００６２】  ストッパー１５がベース５に付属し、ストッパー受け１６がスライドホルダ２に付属していても同様の効果が得られる。ストッパー１５とストッパー受け１６は係合と解除が簡単に出来るような機構であれば他の接合方法でもよい。
【００６３】  接続状態においてストッパー１５がストッパー受け１６と係合し、スライドホルダ２はベース５に一定の間隔で保持され、図４に示すようにコンセント６とプラグ３の接続状態が保たれる。これにより栓刃７が刃受けバネやコンセント６本体に負担をかける事が少なく、刃受けバネの挟む力が弱まってもプラグ３の栓刃７がコンセント６から抜けやすくなる事が無い。
【００６４】  また接続状態を保持するために鍵状の栓刃をコンセントの挿入口に差し込んだ後に、プラグを回転させてその鍵状の栓刃をコンセントの刃受けバネに引掛けて固定する必要が無い。
【００６５】  コンセント６からプラグ３を抜くときは前述の方法でストッパー１５をストッパー受け１６から解放し、スライドホルダ２を前方にスライドさせると、コンセント６とプラグ３の接続が解かれ図２の準備状態となる。
【００６６】  準備状態のスライドホルダ２からプラグ３を外し、スライドホルダ２を後方にスライドさせてスライドホルダ２をコンセント６に近付けると、ストッパー１５の爪状部１５−１がストッパー受け１６の掛けバー１６−１に咬み込む。これでスライドホルダ２がベース５に固定され図５に示す収納状態となる。
【００６７】  図６に示すようにコンセント６とプラグ３とスライドホルダ２を覆うカバー２２をベース５のコンセント６よりも上の部分に取り付ける。これによりコンセント６とプラグ３とスライドホルダ２に雨がかかりにくくなる。
【００６８】  図７に示すようにベース５−１に漏電遮断機１７を併設して、コンセント６に電源を供給すると漏電の波及が防げる。また漏電遮断機１７を切りの状態でプラグ３の栓刃７をコンセント６に差し込み、接続を確認した後に漏電遮断機１７を入りの状態にすると、感電の危険性がさらに減少する。加えてメンテナンスの際には、離れた箇所に設置された漏電遮断機を行き来して入り切り操作をするよりも便利である。
【００６９】  図８に示すように、ベース５−１にコンセント６と異なる仕様のコンセント６−１を併設する事ができる。これにより例えば１００Ｖと２００Ｖの異なったコンセントを併設することも可能で、使用できる機器の種類の巾が広がり便利である。
【００７０】  当該装置のベース５−１にタイマーを設置してコンセント６に電源を供給する事ができる。これにより料金の安い深夜時間帯に充電時間を設定できるので電気料金の面で経済的である。
【００７１】  本発明の請求項３の開閉柄を操作してスライドホルダ２をスライドさせて、プラグ２をコンセント６に差し込む方法を以下に述べる。
【００７２】  図９に示すように長穴１８を有する開閉柄１９の一端をベース５にヒンジ２０を介して回動可能に取り付け、スライドホルダ２には、長穴１８に係合し、長穴１８をスライドする回転軸２１を設ける。
【００７３】  スライドホルダ２にプラグ３を嵌め込んだ準備状態から開閉柄の操作部１９−１を後方に押すと、回転軸２１が長穴１８をスライドしながらスライドホルダ２を後方に押してスライドさせる。スライドホルダ２に嵌め込まれたプラグ３の栓刃７がコンセント６に挿入されて図１０に示す接続状態となる。
【００７４】  接続状態から開閉柄の操作部１９−１を前方に引くと、回転軸２１が長穴１８をスライドしながらスライドホルダ２を前方に押してスライドさせる。スライドホルダ２に嵌め込まれたプラグ３の栓刃７はコンセント６から抜かれて、図９に示す準備状態となる。
【００７５】  本発明の請求項４の発明をで、コンセント６とプラグ３とスライドホルダ２を十分に覆うに足りる大きさのカバー２２−１が、降雨や埃からコンセント６とプラグ３とスライドホルダ２を保護し、カバー２２−１の開閉に伴ってスライドホルダ２がスライドして、スライドホルダ２に嵌め込まれたプラグ３が、コンセント６に差し込まれる仕組みを説明する。
【００７６】  図１１に示す通り、カバー２２−１はベース５にヒンジ２３を介して前後方向に回動可能に取り付けられている。
【００７７】  カバー２２−１の投影形状と同型の形状を有する後面カバー２４がベース５に取り付けられている。後面カバー２４はその外縁に水返し２５を有している。
【００７８】  図１２に示すように、カバー２２−１に回転軸２６を介して取り付けられた弧状の開閉枝２７は長穴２８を有し、スライドホルダ２前側に位置する回転軸２９はスライド可能に長穴２８に係合している。
【００７９】  スライドホルダ２にプラグ３を嵌め込んだ準備状態から、カバー２２−１を後方へ回動させると開閉枝２７も後方へ回動する。開閉枝２７が回動し、長穴２８が回転軸２９をスライドして、長穴２８の前側端３０がスライドホルダ２の回転軸２９に達すると、前側端３０はスライドホルダ２の回転軸２９を後方へ押す。
【００８０】  スライドホルダ２が後方へスライドして、スライドホルダ２に嵌め込まれたプラグ３の栓刃７がコンセント６に押し込まれると、図１３に示す接続状態となる。
【００８１】  カバー２２−１の縁が後面カバー２４の水返し２５の外側に位置すると、コンセント６とプラグ３とスライドホルダ２はカバー２２−１に覆われて降雨や埃から保護される。
【００８２】  接続態から、カバー２２−１を前方へ回動させると開閉枝２７も前方へ回動する。開閉枝２７が回動し、長穴２８が回転軸２９をスライドして、長穴２８の後側端３１がスライドホルダ２の回転軸２９に達すると、後側端３１はスライドホルダ２の回転軸２９を前方へ押す。
【００８３】  スライドホルダ２が前方へスライドして、スライドホルダ２に嵌め込まれたプラグ３の栓刃７がコンセント６から抜けて図１２に示す準備状態となる。
【００８４】  このようにカバー２２−１の開閉に伴ってスライドホルダ２がスライドしてプラグ３とコンセント６を接続、分離するので操作の手間が省ける。
【００８５】  ストッパー３２はカバー２２−１に取り付けられ、ストッパー受け３３は後面カバー２４に付属する。
【００８６】  後面カバー２４にガイドレール１、コンセント６、カバー２２−１をそれぞれ取り付けて、後面カバー２４にベース５と同様の機能を持たせると後面カバー２４とベース５は兼用できる。
【００８７】  従来の屋外で使用するコンセントは防雨カバー下部のコンセントの挿入口を下方から覗き込んでプラグを差し込んでいた。これに比べて当該装置は覗き込むこと無く、接続作業が出来るので、使いやすい屋外で使用するコンセントを提供出来る。
【００８８】  図１４のようにガイドレール１を覆う下部カバー３４を、後面カバー２４−１に取り付けて、カバー２２−２と下部カバー３４と後面カバー２４−１からなる外殻体を、意匠デザイン性を持った形状にすると、魅力ある外殻体とすることが出来る。このように好みや目的に合わせて外殻体のデザインを選定する事も可能である。
【００８９】  図１５に示すようにカバー２２−２、下部カバー３４、後面カバー２４−１からなる外殻体の表面に、模様をあしらったり木目や石目のシートを貼ったり印刷を施して素材感を出すと、デザインの幅が広がる。あるいは表面に凹凸を付けたりすると、当該装置をその設置場所のイメージに合わせる事が出来る。
【００９０】  請求項５の仕組みは、図１６に示すように照明３５をカバー２２−２の内側に設け、準備状態のスライドホルダ２を照射する。これにより夜間や暗い場所で使用する時にスライドホルダ２、プラグ３、コンセント６が見えるので便利である。
【００９１】  カバー２２−２の内側は白系若しくは鏡面の仕上げの反射板にすると、反射光により手元まで明るくなり、操作がしやすい。
【００９２】  カバー２２−２が開くと点灯し、閉じると消灯する点滅回路を設けると便利である。また別にスイッチを設けて点滅させてもよい。
【００９３】  照明３５の光源は省エネ、省スペースに鑑みてＬＥＤ光源が好ましく、さらにＬＥＤ光源を透過性材料で覆うと視界に光源が入らず、防眩と埃や汚れ保護ができる。
【００９４】  図１７に示すようにカバー２２−２、下部カバー３４からなる外殻体若しくは外殻体の一部を透過性材料で形成し、後面カバー２４−１に取り付けた照明３６で透過性材料の内側から外殻を照らす。これにより外殻体を光らせる事が出来て、夜間や暗い場所でも遠くからその存在がわかり易い。
【００９５】  またカラーの透過性材料若しくはカラーの光源を使用すると、意匠性が上がり訴求に効果的である。この照明３６はスライドホルダ２とコンセント６まで照らせる場合は、照明３５の機能を兼ねる事ができる。
【００９６】  さらに図１８に示すようにカバー２２−２、下部カバー３４からなる外殻体若しくは外殻体の一部を透過性材料で形成し、後面カバー２４−１に取り付けた照明３６で透過性材料の内側から外殻を照らし、外殻体の表面に名称やロゴ等の表示３７を施すと、サインの役割を果たす多機能なカバーとなる。点滅はタイマーやセンサーによるがこの場合も光源は省エネ、省スペースを鑑みてＬＥＤ光源が望ましい。
【００９７】  コンセントに相応した栓刃の形状や配列のプラグでも、プラグの外側の形状が異なるために、当該装置のスライドホルダ２に嵌め込めないプラグ３８がある。その場合にはプラグ３８を図１９に示すアタッチメント３９で巻き包んで当該装置のスライドホルダ２に嵌め込む。
【００９８】  アタッチメント３９は内側面がプラグ３８の外形状に沿う形状で、アタッチメント３９の外側面はスライドホルダ２の内側面の形状に沿う外側の形状で、スライドホルダ２に嵌め込める。
【００９９】  栓刃７形状と配列が同じプラグ３８は本体の形状が異なっても当該装置のスライドホルダ２にアタッチメント３９を装着すると、プラグ３８を所定姿勢でコンセント６に向くように嵌め込むことが可能になる。これにより請求項１の発明の仕組みに汎用性をもたせ、いろいろな外形状のプラグが使用可能になる。
【０１００】  アタッチメント３９にプラグ３８を差し込む方法でもよいが、図１９に示すようにビス４０を用いてプラグ３８を締め付けると確実である。またビスを締める勘合部分は図２０に示すようにプラグ突起１３−１部分を兼ねてもよい。
【符号の説明】
【０１０１】１        ガイドレール
２        スライドホルダ
２−１    スライドホルダ
３        プラグ
４        キャスター部
４−１    プラグホルダ部
５        ベース
５−１    ベース
６        コンセント
６−１    コンセント
７        栓刃
８        挿入口
９        立ち上り
１０      立ち上り
１１      プラグコード
１２      コード受け
１３      プラグ突起
１３−１  プラグ突起
１４      突起受け
１５      ストッパー
１５−１  爪状部分
１６      ストッパー受け
１６−１  掛けバー
１７      漏電遮断機
１８      長穴
１９      開閉柄
１９−１  操作部
２０      ヒンジ
２１      回転軸
２２      カバー
２２−１  カバー
２２−２  カバー
２３      ヒンジ
２４      後面カバー
２５      水返し
２６      回転軸
２７      開閉枝
２８      長穴
２９      回転軸
３０      前側端
３１      後側端
３２      ストッパー
３３      ストッパー受け
３４      下部カバー
３５      照明
３６      照明
３７      表示
３８      プラグ
３９      アタッチメント
４０      ビス
【図１】
2011228236.tif 000003
【図２】
2011228236.tif 000004
【図３】
2011228236.tif 000005
【図４】
2011228236.tif 000006
【図５】
2011228236.tif 000007
【図６】
2011228236.tif 000008
【図７】
2011228236.tif 000009
【図８】
2011228236.tif 000010
【図９】
2011228236.tif 000011
【図１０】
2011228236.tif 000012
【図１１】
2011228236.tif 000013
【図１２】
2011228236.tif 000014
【図１３】
2011228236.tif 000015
【図１４】
2011228236.tif 000016
【図１５】
2011228236.tif 000017
【図１６】
2011228236.tif 000018
【図１７】
2011228236.tif 000019
【図１８】
2011228236.tif 000020
【図１９】
2011228236.tif 000021
【図２０】
2011228236.tif 000022